(57)【要約】【課題】金属製ヘッド本体のクラウン部に設けた開口部を覆う繊維強化樹脂製プレート部材の、ヘッド本体との接合部の剥離し難い形態の中空ゴルフクラブヘッドを提供する。【解決手段】クラウン部に開口部を形成した金属製中空ヘッド本体１０を有し、該開口部を覆うように繊維強化樹脂製のプレート部材２０を配設接合してなる中空ゴルフクラブヘッドであって、前記プレート部材の周辺部に、クラウン部を形成する領域の平均的曲率よりも大きな曲率の屈曲部２０Ｋを介して下方に延伸した垂下部２０Ｓを形成し、該垂下部の裏面を前記ヘッド本体の側部領域ＳＲ外側面に対面させて接合させると共に、該側部領域の上端を前記屈曲部２０Ｋに位置させるよう構成する。【選択図】        図４
2006087666.tif 000002
【特許請求の範囲】
【請求項１】
クラウン部に開口部を形成した金属製中空ヘッド本体を有し、該開口部を覆うように繊維強化樹脂製のプレート部材を配設接合してなる中空ゴルフクラブヘッドであって、
前記プレート部材の周辺部に、クラウン部を形成する領域の平均的曲率よりも大きな曲率の屈曲部を介して下方に延伸した垂下部を形成し、
該垂下部の裏面を前記ヘッド本体の側部領域外側面に対面させて接合させると共に、該側部領域の上端を前記屈曲部に位置させた
ことを特徴とする中空ゴルフクラブヘッド。
【請求項２】
クラウン部に開口部を形成した金属製中空ヘッド本体を有し、該開口部を覆うように繊維強化樹脂製のプレート部材を配設接合してなる中空ゴルフクラブヘッドであって、
前記プレート部材の周辺部に、クラウン部を形成する領域の平均的曲率よりも大きな曲率の屈曲部を介して下方に延伸した垂下部を形成し、
該垂下部の裏面を前記ヘッド本体の側部領域外側面に対面させて接合させると共に、前記垂下部は少なくともバック部に対応する部位を含んでおり、前記側部領域の内側であって、少なくともバック部を含む範囲に亘って、上下方向ではなく、概略水平方向に延伸するリブを設けたことを特徴とする中空ゴルフクラブヘッド。
【請求項３】
前記概略水平方向とは、フェース面の上下方向幅の中間位置における接平面に対する垂直方向である請求項２記載の中空ゴルフクラブヘッド。
【請求項４】
所定ライ角通りにアドレスした状態の正面視で、前記リブはトウ側よりもヒール側が低くなるように傾斜している請求項３記載の中空ゴルフクラブヘッド。
【発明の詳細な説明】
【技術分野】
【０００１】
本発明は、チタン合金等の金属製中空ヘッド本体の開口クラウン部に繊維強化樹脂プレート部材を設けた中空ゴルフクラブヘッドに関する。
【背景技術】
【０００２】
所謂、ウッドヘッドやユーティリティーヘッドを含む中空ゴルフクラブヘッドは、所定の設計全体重量の重量配分において、打撃性向上のために低重心化並びに慣性モーメントの向上が望まれる。このため、クラウン部を繊維強化樹脂プレート部材で形成してゴルフクラブヘッドの上部を軽量化し、その軽量化分の重量を下方やバック部等の側部領域に再配置して打撃性を向上させている。こうした傾向の中で、クラウン部のみならずヘッドの側部領域にまで亘る繊維強化樹脂材を使用し、より高い慣性モーメントの中空ゴルフクラブヘッドが下記特許文献１に開示されている。
【特許文献１】特開２００３−２４５３８２号公報
【発明の開示】
【発明が解決しようとする課題】
【０００３】
然しながら、上記特許文献１の図８Ｂ等に示されているが、金属製中空ヘッド本体５０の側部領域（リボン部）７８の上端位置が、繊維強化樹脂製プレート部材のクラウン部６２から相対的に大きな曲率の屈曲部を介して下方に延伸した垂下部（リボン部）６４の途中位置に位置している。接着強度は接着領域端部からの剥離開始のし難さに依存するが、打撃の際にはフェース部が後方に傾斜することによって、薄肉のクラウン部が上方に撓み変形しつつ垂下部が後方に押され、ヘッド本体側と離隔する傾向にあり、接着部が剥離し易い。また、平面視的には、ヘッドのバック部の幅方向中央部がフェース側に突出する様に撓む傾向が有り、こうした変形によって接着部が剥離し易い。
従って解決しようとする課題は、金属製ヘッド本体のクラウン部に設けた開口部を覆う繊維強化樹脂製プレート部材の、ヘッド本体との接合部の剥離し難い形態の中空ゴルフクラブヘッドを提供することである。
【課題を解決するための手段】
【０００４】
本発明の請求項１に係る発明では、クラウン部に開口部を形成した金属製中空ヘッド本体を有し、該開口部を覆うように繊維強化樹脂製のプレート部材を配設接合してなる中空ゴルフクラブヘッドであって、前記プレート部材の周辺部に、クラウン部を形成する領域の平均的曲率よりも大きな曲率の屈曲部を介して下方に延伸した垂下部を形成し、該垂下部の裏面を前記ヘッド本体の側部領域外側面に対面させて接合させると共に、該側部領域の上端を前記屈曲部に位置させたことを特徴とする中空ゴルフクラブヘッドを提供する。本願では、トウ部、バック部、ヒール部と称されるゴルフクラブヘッドの周辺領域の一部又は全部を側部領域と表現する
【０００５】
請求項２では、クラウン部に開口部を形成した金属製中空ヘッド本体を有し、該開口部を覆うように繊維強化樹脂製のプレート部材を配設接合してなる中空ゴルフクラブヘッドであって、前記プレート部材の周辺部に、クラウン部を形成する領域の平均的曲率よりも大きな曲率の屈曲部を介して下方に延伸した垂下部を形成し、該垂下部の裏面を前記ヘッド本体の側部領域外側面に対面させて接合させると共に、前記垂下部は少なくともバック部に対応する部位を含んでおり、前記側部領域の内側であって、少なくともバック部を含む範囲に亘って、上下方向ではなく、概略水平方向に延伸するリブを設けたことを特徴とする中空ゴルフクラブヘッドを提供する。
ここでの概ね水平方向とは、上下方向ではないことを述べているに過ぎず、所定ライ角でアドレスした状態で、厳密な水平方向に対して相当程度傾斜していてもよく、概ねの幅を狭く解釈すべきでない。
【０００６】
請求項３では、前記概略水平方向とは、フェース面の上下方向幅の中間位置における接平面に対する垂直方向である請求項２記載の中空ゴルフクラブヘッドを提供する。
請求項４では、所定ライ角通りにアドレスした状態の正面視で、前記リブはトウ側よりもヒール側が低くなるように傾斜している請求項３記載の中空ゴルフクラブヘッドを提供する。
【発明の効果】
【０００７】
請求項１に係る発明では、上記屈曲部は、クラウン部と垂下部との交差する立体的形状部故、打撃時に変形が小さい。従って、ヘッド本体の側部領域上端が、この屈曲部に位置していれば、互いを剥離させる力は小さくなり、剥離が防止される。
請求項２に係る発明では、リブを少なくともバック部を含む範囲に亘って設けることによって、ヘッドのバック部の幅方向中央部がフェース側に突出するように撓む平面視的な変形を防止できる。これによって変形に伴う接合部の剥離を防止できる。
【０００８】
請求項３に係る発明では、フェース面の上下方向幅の中間位置における接平面に対する垂直方向とは、打撃時の打撃力方向であるため、リブは打撃によって横振れし難く、バック部の変形防止の効果が高い。
請求項４に係る発明では、一般に、フェース面の打撃点はトウ側寄り領域を打撃した場合は高い位置となり、ヒール側寄りの場合は低い位置になるという傾向があるため、リブをこの打撃点の高さ変化に対応した形状に延伸させると、打撃によるリブの横振れがより効果的に防止でき、バック部の変形防止の効果が高くなる。
【発明を実施するための最良の形態】
【０００９】
以下、本発明を図面を用いて詳細に説明する。図１は本発明に係る中空ゴルフクラブヘッドの正面図、図２はトウ側から見た側面図、図３はヘッドの組み立て前の分解図であり、平面図である。図４は図１の矢視線Ｄ−Ｄによる断面図、図５は図４の左部の拡大図である。図３のハッチングは分り易くするために便宜上描いている。チタン合金等の金属製中空ヘッド本体１０のクラウン部には開口部ＫＫが形成されており、この開口部を覆う形状の繊維強化樹脂製プレート部材２０を被せて接着接合し、これにより中空ゴルフクラブヘッドを構成している。
【００１０】
ヘッド本体１０はフェース部Ｆ、ソール部Ｓ、トウ部Ｔの一部、ヒール部Ｈの一部、バック部Ｂの一部、シャフトＳＴの止着部ＳＳを有している。フェース部Ｆには反発性の高いチタン合金等の金属のフェースプレートＦＰが接合されている。また、フェース部Ｆに隣接してクラウン部Ｃの一部１０Ｃを残している。本願ではトウ部とバック部とヒール部とを側部領域と表現することがある。
【００１１】
図３に示すように、クラウン部の一部１０Ｃに隣接して段差部が形成されており、クラウン部形状に沿った（概ね水平面状の）段差面ＦＤＢに、プレート部材２０の前側部裏面を接着剤で接合する。一方、バック部Ｂを含んでトウ部の一部からヒール部の一部にまで亘る側部領域ＳＲには、図４又は図５に現われるような段差ＤＢが形成されている。即ち、側部領域ＳＲの一部である上方部ＳＲＤがフェース部側に窪むように段差になっている。
【００１２】
一方、プレート部材２０は、クラウン部の前記一部１０Ｃを除いた残りのクラウン部領域となるプレートクラウン部２０Ｃを有し、該クラウン部の周囲の一部（前記側部領域ＳＲに対応する範囲）には、クラウン部２０Ｃの平均的曲率よりも大きな曲率の屈曲部２０Ｋを介して下方に延伸した垂下部２０Ｓを形成している。この板状垂下部の裏面を、前記上方部ＳＲＤの外側面に対面させるようにし、間に接着剤ＳＺを介在させて接合させる。この組み立てた状態のゴルフクラブヘッドでは、前記側部領域ＳＲ（上方部ＳＲＤ）の上端がプレート部材２０の屈曲部２０Ｋの部位に位置している。
【００１３】
既述の様に、屈曲部２０Ｋはクラウン部２０Ｃと垂下部２０Ｓとの交差する立体的形状部故、打撃時に受ける変形が小さい。ヘッド本体１０の側部領域ＳＲ上端がこの屈曲部２０Ｋに位置しているので、接合領域の端部位置がこの屈曲部となり、このため垂下部２０Ｓと上方部ＳＲＤとを互いに剥離させる作用は小さくなり、接合の剥離が防止される。
【００１４】
図６は本発明に係る中空ゴルフクラブヘッドの第２実施形態例の要部断面図であり、第１形態例の図５に対応する。第１実施形態例では、側部領域ＳＲの肉厚ｔ１と、上方部ＳＲＤの肉厚ｔ２とは概ね同じであり、また、プレート部材２０のクラウン部２０Ｃの肉厚Ｔ１と、その垂下部２０Ｓの肉厚Ｔ２とも概ね同じ例を開示しているが、この第２実施形態例ではＴ２はＴ１よりも明確に薄くし、ｔ２もｔ１よりも明確に薄くしている。これにより、中空ゴルフクラブヘッドのバック部Ｂの上方部と下方部との肉厚差を小さくし、ひいては剛性差を小さくして打撃時の複雑な変形を防止して、接合部の剥離を防止する。
【００１５】
図７は第３形態例の要部断面図である。屈曲部２０Ｋは周辺領域よりも相対的に大きな曲率の範囲Θであり、第１と第２の例では、側部領域ＳＲ（上方部ＳＲＤ）の上端は屈曲部２０Ｋの中心位置に位置させているが、この例では、その屈曲部２０Ｋの最も端まで、即ち、クラウン部側に最も延伸した形態である。
その他、プレート部材２０の垂下部２０Ｓがバック部Ｂに対応する範囲だけであったり、トウ部Ｔの範囲だけであったり、ヒール部Ｈの範囲だけであったり、トウ部とヒール部だけであったり、バック部と、トウ部かヒール部の何れかとの範囲だけであったりしてもよい。勿論、対応するヘッド本体の側部領域ＳＲの上方部ＳＲＤも対応する範囲に形成する。
【００１６】
図８と図９と図１０は第４実施形態例を示し、図８は図３に対応する分解図、図９はゴルフクラブヘッドのトウ側から見た図４に対応する断面図、図１０は図９の矢視線Ｊ−Ｊによる断面図である。第１形態例と異なるのは、上方部ＳＲＤの内側にリブＲＢが設けられていることであり、その他事項は同じである。従って、第１例から第２例、第３例への変形形態が可能な様に、この第４例も第２例、第３例のような変形例を許容する。このリブは上下方向ではなく、概ね水平方向に延伸しているため、打撃時にバック部Ｂが図８の２点鎖線ＢＨに示すように変形（平面視的変形）することを防止できる。この変形防止によって、上方部ＳＤＲと垂下部２０Ｓとの接合部の剥離防止の効果が向上する。
【００１７】
この例のリブＲＢは、バック部Ｂを含んでトウ部Ｔの一部からヒール部Ｈの一部にまで亘る側部領域ＳＲに沿っている。リブの配設範囲はバック部Ｂの範囲だけでもよい。ゴルフクラブヘッドのフェース部Ｆのフェース面の中心位置（上下方向幅２Ｌの中間であって前後方向幅の中間の位置）Ｐ０における接平面ＦＰに対する垂直線ＬＮの方向に沿って延伸したリブＲＢに形成している。打撃時の打撃方向は概ね線ＬＮに沿うため、打撃によってリブＲＢが横振れし難く、それだけバック部等の上述の変形ＢＨを効果的に防止し、既述の剥離防止につながる。しかし、リブはこの延伸方向ではなく、所定ライ角通りにアドレスした状態での水平方向等に延伸していてもよい。
【００１８】
また、所定ライ角通りにアドレスした状態でのリブＲＢの正面視、即ち、図１０で見えるリブの延伸ライン（便宜的に図１に２点鎖線ＲＢＬで示す）は、トウ側よりもヒール側が下がる傾斜ラインである。これは、一般に、フェース面の打撃点は、トウ側寄り領域を打撃した場合は高い位置となり、ヒール側寄りの場合は低い位置になるという傾向があるため、その傾向に合せたものであり、打撃によるリブＲＢの横振れがより効果的に防止でき、バック部等の変形防止の効果が高くなる。
【００１９】
以上図８〜図１０の例では、図１〜図７の各例で述べたように、上方部ＳＲＤがプレート部材２０の屈曲部の位置にまで延伸しているが、屈曲部に至っていなくてもよい。
図１１は、接合部剥離防止対策のその他の形態例を示す。即ち、繊維強化樹脂製プレート部材２０の垂下部２０Ｓの曲げ剛性を向上させれば、打撃時に垂下部の変形が抑えられ、これによって接合部の剥離が防止できる。この手法を採用する場合は、既述のリブの有無は問わず、また、金属製ヘッド本体１０の上方部ＳＲＤの上端位置が屈曲部２０Ｋに位置しているか否かを問わない。
【００２０】
具体的には図１２に示すように、先ず２枚のプリプレグＰ１，Ｐ２を１組又は２組以上重ね合わせる。プリプレグＰ１，Ｐ２は、クラウン部となる領域ではその炭素繊維等の強化繊維が概ね４５度方向又は−４５度方向に指向した一方向引き揃えシートである。また、垂下部に対応する領域は、プリプレグ上では放射状に、垂下部となった際には上下方向に指向する方向に切れ目ＰＣを適宜間隔で設けている。従って、クラウン部に対して折り曲げてもプリプレグに皺が寄り難い。垂下部２０Ｓでも、１対のプリプレグＰ１，Ｐ２の存在によって強化繊維が概ね直交しているが、前記切れ目の存在等によってバラける虞があるため、最外側に、垂下部の幅を有し、強化繊維方向が互いに直交する織布のテープ状プリプレグＰ３を配設する。この場合、強化繊維が上下方向とゴルフクラブヘッドの周囲方向（屈曲部２０Ｋのラインに沿った方向）とに指向するようにする。特にこのプリプレグＰ３の存在により、垂下部２０Ｓの強度と曲げ剛性が向上する。これによって、接合部の剥離が防止できる。
【００２１】
また、金属製ヘッド本体と、繊維強化樹脂製のプレート部材とで中空ゴルフクラブヘッドを形成する場合、金属製のソール部Ｓよりも、繊維強化樹脂製クラウン部２０Ｃのフェース部とバック部とを結ぶ方向に沿う曲げ変形に対する剛性を小さくして、打撃の際、ソール部よりもクラウン部を大きく撓ませて高打出角、高反発なヘッドにするとよい。この場合、上記例のように垂下部２０Ｓの積層構造により曲げ剛性を向上させたり、リブを設けて垂下部の曲げ剛性を向上させたり、最初の例のように、側部領域の上端を屈曲部に位置させたりして、変形を防止して、接合部の剥離を防止できる。
【産業上の利用可能性】
【００２２】
本発明は、ウッドヘッドやユーティリティーヘッドを含む中空ゴルフクラブヘッドに利用できる。
【図面の簡単な説明】
【００２３】
【図１】図１は本発明に係る中空ゴルフクラブヘッドの正面図である。
【図２】図２はトウ側から見た側面図である。
【図３】図３はヘッドの組み立て前の分解図であり、平面図である。
【図４】図４は図１の矢視線Ｄ−Ｄによる断面図である。
【図５】図５は図４の左部の拡大図である。
【図６】図６は本発明に係る中空ゴルフクラブヘッドの第２実施形態例の要部断面図である。
【図７】図７は第３形態例の要部断面図である。
【図８】図８は第４実施形態例を示し、図３に対応する分解図である。
【図９】図９は図８のゴルフクラブヘッドのトウ側から見た図４に対応する断面図である。
【図１０】図１０は図９の矢視線Ｊ−Ｊによる断面図である。
【図１１】図１１は接合部剥離防止対策のその他の形態例の説明図である。
【図１２】図１２は図１１のプレート部材を製造する各プリプレグシートの平面図である。
【符号の説明】
【００２４】
１０                  金属製ヘッド本体
２０                  プレート部材
２０Ｋ                屈曲部
２０Ｓ                垂下部
Ｃ                    クラウン部
ＲＢ                  リブ
ＳＲ                  側部領域
ＳＲＤ                側部領域の上方部
【図１】
2006087666.tif 000003
【図２】
2006087666.tif 000004
【図３】
2006087666.tif 000005
【図４】
2006087666.tif 000006
【図５】
2006087666.tif 000007
【図６】
2006087666.tif 000008
【図７】
2006087666.tif 000009
【図８】
2006087666.tif 000010
【図９】
2006087666.tif 000011
【図１０】
2006087666.tif 000012
【図１１】
2006087666.tif 000013
【図１２】
2006087666.tif 000014